(57)【要約】【課題】流木をあらかじめ水に浸すといった煩雑な作業をなくし、しかも、全体に重量の増加を抑制することができ、さらに錘が露出して見栄えを悪くするおそれのない浸水具を提供する。【解決手段】ねじ部材１２を、板状部材１０の透孔１０ａ及び管状部材１１に貫通させ、先端を流木Ｔにねじ込む。板状部材１０を水槽の底Ｂ部に置き、この板状部材１０の上面１０ｂに間隙Ｇを埋めるようにして底砂Ｓを載せる。板状部材１０の上面１０ａに載せられた底砂Ｓが錘として作用するので、流木を水底に沈めることができる。板状部材１０の面積や、間隙Ｇを、流木の大きさに合わせて簡単に調整することができる。【選択図】図２
0003128222.tif 000002
【実用新案登録請求の範囲】
【請求項１】
水槽内の底砂の上に水中装飾具を沈めるための浸水具において、
板状部材と、
前記水中装飾具を前記板状部材の上方に保持する保持部材と、を備え、
前記保持部材は、前記板状部材と前記水中装飾具との間に、前記板状部材の上面に前記底砂を載せる間隙を確保する、
ことを特徴とする浸水具。
【請求項２】
前記保持部材が、紐状部材である、
ことを特徴とする請求項１に記載の浸水具。
【請求項３】
前記保持部材が、針金状部材である、
ことを特徴とする請求項１に記載の浸水具。
【請求項４】
前記保持部材が、前記板状部材と前記水中装飾具との間隙を確保するスペーサと、前記板状部材と前記水中装飾具とを固定する固定部材と、を有する、
ことを特徴とする請求項１に記載の浸水具。
【請求項５】
前記板状部材が、透孔を有し、
前記スペーサが、管状部材によって形成され、
前記固定部材が、前記透孔及び前記環状部材を下方から貫通して前記水中装飾具にねじ込まれるねじ部材によって構成されている、
ことを特徴とする請求項４に記載の浸水具。
【請求項６】
前記管状部材が、弾性を有する部材によって構成されている、
ことを特徴とする請求項５に記載の浸水具。
【請求項７】
前記板状部材が、複数の前記透孔を有する、
ことを特徴とする請求項５又は６に記載の浸水具。
【請求項８】
前記水中装飾具は、単独で、水を張った水槽内に入れたときに浮き上がる、
ことを特徴とする請求項１ないし７のいずれか１項に記載の浸水具。
【請求項９】
前記水中装飾具が流木である、
ことを特徴とする請求項１ないし８のいずれか１項に記載の浸水具。
【請求項１０】
前記水中装飾具が水草である、
ことを特徴とする請求項１ないし８のいずれか１項に記載の浸水具。
【請求項１１】
前記水中装飾具が水中レイアウト物である、
ことを特徴とする請求項１ないし８のいずれか１項に記載の浸水具。
【考案の詳細な説明】
【技術分野】
【０００１】
本考案は、水槽内の底板の上に水中装飾具を沈めるための浸水具に関する。
【背景技術】
【０００２】
金魚や熱帯魚を飼育する水槽において、水槽内をより自然に近づけるために、水底に流木を沈めることがある（例えば特許文献１参照）。このような、流木を水底に沈めるための方法としては、流木をあらかじめ水に浸しておいたり、流木に直接、錘をつけたりする方法がとられている。
【特許文献１】特開平８−３３１９９９号公報
【考案の開示】
【考案が解決しようとする課題】
【０００３】
しかしながら、前者のあらかじめ水に浸しておく方法は、煩雑である。一方、後者の錘をつける方法は、流木が大きくなるとその分、大きな錘が必要となり、全体の重量がかさんだり、水槽内に流木を沈めた際に、底砂から錘が露出して、見栄えを悪くしたりするという問題がある。なお、このような問題は、流木に限らず、水草や水中レイアウト物を水底に沈めて固定する場合にもほぼ同様に発生する。つまり、流木，水草，水中レイアウト物等の水中装飾物を水底に固定する場合の共通の問題である。
【０００４】
そこで、本考案は、水中装飾具全体の重量の増加を抑制することができるとともに、水中装飾具を簡単に水底に沈めて固定することができ、さらに錘が露出して見栄えを悪くするおそれのない浸水具を提供することを目的とするものである。
【課題を解決するための手段】
【０００５】
請求項１に係る考案は、水槽内の底砂の上に水中装飾具を沈めるための浸水具に関する。この考案に係る浸水具は、板状部材と、前記水中装飾具を前記板状部材の上方に保持する保持部材と、を備え、前記保持部材は、前記板状部材と前記水中装飾具との間に、前記板状部材の上面に前記底砂を載せる間隙を確保する、ことを特徴としている。
【０００６】
請求項２に係る考案は、請求項１に係る浸水具において、前記保持部材が、紐状部材である、ことを特徴としている。
【０００７】
請求項３に係る考案は、請求項１に係る浸水具において、前記保持部材が、針金状部材である、ことを特徴としている。
【０００８】
請求項４に係る考案は、請求項１に係る浸水具において、前記保持部材が、前記板状部材と前記水中装飾具との間隙を確保するスペーサと、前記板状部材と前記水中装飾具とを固定する固定部材と、を有する、ことを特徴としている。
【０００９】
請求項５に係る考案は、請求項４に係る浸水具において、前記板状部材が、透孔を有し、前記スペーサが、管状部材によって形成され、前記固定部材が、前記透孔及び前記環状部材を下方から貫通して前記水中装飾具にねじ込まれるねじ部材によって構成されている、ことを特徴としている。
【００１０】
請求項６に係る考案は、請求項５に係る浸水具において、前記管状部材が、弾性を有する部材によって構成されている、ことを特徴としている。
【００１１】
請求項７に係る考案は、請求項５又は６に係る浸水具において、前記板状部材が、複数の前記透孔を有する、ことを特徴としている。
【００１２】
請求項８に係る考案は、請求項１ないし７のいずれか１項に係る浸水具において、前記水中装飾具は、単独で、水を張った水槽内に入れたときに浮き上がる、ことを特徴としている。
【００１３】
請求項９に係る考案は、請求項１ないし８のいずれか１項に係る浸水具において、前記水中装飾具が流木である、ことを特徴としている。
【００１４】
請求項１０に係る考案は、請求項１ないし８のいずれか１項に係る浸水具において、前記水中装飾具が水草である、ことを特徴としている。
【００１５】
請求項１１に係る考案は、請求項１ないし８のいずれか１項に係る浸水具において、前記水中装飾具が水中レイアウト物である、ことを特徴としている。
【考案の効果】
【００１６】
請求項１の考案によると、板状部材と水中装飾具との間に、保持部材によって間隙が確保されているので、例えば、板状部材を水槽の底部に置き、この板状部材の上面に間隙を埋めるようにして底砂を載せる。板状部材の上面に載せられた底砂が錘として作用するので、水中装飾具を水底に沈めることができる。この際、小さい水中装飾具は浮力が小さいので、例えば、板状部材の面積を小さくしたり、また、間隙を狭くしたりして板状部材に載せる底砂の量を少なくして対応することができる。これに対して、大きい水中装飾具は浮力が大きいので、例えば、板状部材の面積を大きくしたり、また、間隙を広くしたりして底砂の量を多くして対応することができる。つまり、板状部材の面積や、板状部材と水中装飾具との間隙を、水中装飾具の大きさに合わせて簡単に調整することができ、板状部材の面積や、板状部材と水中装飾具との間隙を過剰に大きくすることを防止することができる。このように請求項１の考案によると、水中装飾具をあらかじめ水に浸しておく必要がない。また、全体の重量増加を、錘を使用する場合と比較して抑制することができる。また、板状部材は、薄く構成することができるので、容易に、底板から露出することを防止することができる。
【００１７】
請求項２の考案によると、水中装飾具を水底に沈める際に、板状部材を水槽の底部に置くと、水中装飾具は浮力によって浮き上がろうとするので、板状部材と水中装飾具との間に間隙が形成される。この間隙を埋めるように、板状部材の上面に底砂を載せることで、水中装飾具を沈めることができる。
【００１８】
請求項３の考案によると、水中装飾具を水底に沈める際に、板状部材を水槽の底部に置くと、水中装飾具は針金状部材によって板状部材の上方に保持されて、板状部材と水中装飾具との間に間隙が形成される。この間隙を埋めるように、板状部材の上面に底砂を載せることで、水中装飾具を沈めることができる。
【００１９】
請求項４の考案によると、水中装飾具を水底に沈める際に、板状部材を水槽の底部に置くと、水中装飾具はスペーサ及び固定部材によって板状部材の上方に保持されて、板状部材と水中装飾具との間に間隙が形成される。この間隙を埋めるように、板状部材の上面に底砂を載せることで、水中装飾具を沈めることができる。
【００２０】
請求項５の考案によると、板状部材の透孔及び管状部材に下方からねじを貫通させ、その先端を下方から水中装飾具にねじ込むことで、水中装飾具をぐらつくことのない安定した姿勢で板状部材の上方に保持することができる。そして、板状部材と水中装飾具との間の間隙を埋めるように、板状部材の上面に底砂を載せることで、水中装飾具を沈めることができる。
【００２１】
請求項６の考案によると、管状部材が弾性を有していて、ねじ部材を水中装飾具にねじ込んだ際に、弾性に抗して短縮されるので、ねじ部材をねじ込んだ際には、板状部材と水中装飾具とを離す方向に付勢するので、ねじが緩むのを防止することができる。
【００２２】
請求項７の考案によると、板状部材が複数の透孔を有しているので、水中装飾具の形状に応じて、使用する透孔を適宜に選択したり、また、複数の透孔、管状部材、ねじ部材を使用したりして、水中装飾具を安定した状態で保持することができる。
【００２３】
請求項８の考案は、水中装飾具が沈みにくい水中装飾具であることを規定するものであり、このような水中装飾具に対して本考案を適用すると確実に沈めることができる。なお、本考案は、自らが沈む水中装飾具に対しても適用することが可能である。
【００２４】
請求項９，請求項１０，請求項１１の考案は、水中装飾物がそれぞれ流木，水草，水中レイアウト物であることを規定するものである。
【考案を実施するための最良の形態】
【００２５】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２６】
図１〜図４を参照して、本考案に係る浸水具について説明する。なお、以下の説明では、本考案を水中装飾物としての流木に対して適用した例を説明するが、本考案はこれに限定されるものではない。例えば、本考案は、水中層植物としての水草や水中レイアウト物に対しても同様に適用することができる。ここで、水中レイアウト物とは、例えば、竜宮城や水車や魚を模した模型などがある。
【００２７】
上述の図１〜図４のうち、図１は、本考案に係る浸水具の分解斜視図を示す。図２は、浸水具の縦断面を示す。図３は、板状部材の一例を示す正面図である。図４は、管状部材の一例を示す斜視図である。なお、上述の図１，図２において、水中装飾具の一例である流木をＴで表し、また、図２において、底砂をＳで表している。
【００２８】
これらの図に示すように、浸水具１は、板状部材１０と、保持部材としての管状部材１１（スペーサ）と、ねじ部材１２（固定部材）とを備えている。
板状部材１０は、図３に示すように、ほぼ長方形状の薄板状の部材である。板状部材１０は、例えば、縦１００ｍｍ、横１５０ｍｍ、厚さ０．８ｍｍの長方形状に形成されていて、各角は、３ｍｍの面取りがなされている。縦方向の中心を通る中心軸Ｃ上には、３個の円形の透孔１０ａが厚さ方向に貫通するように穿設されている。３個の透孔１０ａは、それぞれ４．５ｍｍの直径を有し、横方向の中心に１個、この透孔１０ａから左方向及び右方向にそれぞれ４０ｍｍ離れた位置にそれぞれ１個ずつ配置されている。板状部材１０は、材質としては、例えば、塩化ビニルを使用することができる。
【００２９】
管状部材１１は、図４に示すように、例えば、内径６ｍｍ、外径８ｍｍ、長さ１５ｍｍの円筒状に形成されている。管状部材１１は、材質としては、例えば、塩化ビニルを使用することができる。
【００３０】
ねじ部材１２は、頭部１２ａの直径が、上述の板状部材１０の透孔１０ａの直径（＝４．５ｍｍ）よりも大きく、かつねじ部１２ｂが透孔１０ａ及び管状部材１１を下方から貫通して流木Ｔにねじ込むことができる長さに設定されている。本実施形態では、ねじ部１２ｂの長さは２５ｍｍ程度に設定されている。
【００３１】
上述構成の浸水具１は、図１，図２に示すように、ねじ部材１２を、下方から上方に向けて、板状部材１０の透孔１０ａ及び管状部材１１を貫通させ、ねじ部１２ｂの先端を流木Ｔにねじ込むことで、流木Ｔに固定する。これにより、管状部材１１の長さが少し短縮されて、ねじ部材１２が流木Ｔから抜けにくくなり、また、流木Ｔを、ぐらつくことのない安定した姿勢で保持することができる。なお、管状部材１１における上部、つまり流木Ｔに接触する部分をラッパ状に広げて形成しておけば、管状部材１１と流木Ｔとの接触面積を増加させることができるので、流木Ｔをより一層、安定した姿勢で保持することが可能となる。
【００３２】
流木Ｔに固定した後、浸水具１を、その板状部材１０の下面が水槽（不図示）の底部Ｂに接するように載置する。この状態では、板状部材１０と流木Ｔとの間に、短縮された状態の管状部材１１に長さに相当する厚さの間隙Ｇ（ギャップ）が形成される。この間隙Ｇを埋めるように、板状部材１０の上面１０ｂに底砂Ｓを載せる。次に水槽に水を張る。このとき、板状部材１０の上面１０ｂに載せた底砂Ｓが錘として作用するため、流木Ｔが浮かび上がることを防止することができる。なお、既に水が張られている水槽内に流木Ｔをセットする場合には、底砂Ｓを掻き分けるようにして、板状部材１０を水槽の底部Ｂに沈め、その後、間隙Ｇを底砂Ｓで埋めるようにすればよい。
【００３３】
以上説明した、板状部材１０、管状部材１１、ねじ部材１２の寸法は、一例を示したものであり、本考案においては、流木Ｔの大きさや形状に合わせて、また、流木に作用する浮力に合わせて、板状部材１０の大きさや、管状部材１１の長さを適宜に変えることにより、流木Ｔの浮き上がりを有効に防止することができる。
【００３４】
また、以上の説明では、板状部材１０の３個の透孔１０ａのうち、中央の透孔１０ａを使用する場合を例に説明したが、流木Ｔの形状に合わせて、これに代えて、左側又は右側の透孔１０ａを使用するようにしてもよい。例えば、流木Ｔにおけるねじ部材１２をねじ込む箇所が、流木Ｔの重心から大きくずれているような場合には、その重心が板状部材１０のほぼ中央に位置するようにして、左側又は右側の透孔１０ａにねじ部材１２を通すようにするとよい。さらには、複数の透孔１０ａ、管状部材１１、ねじ部材１２を使用して、流木Ｔを固定するようにしてもよい。この場合、透孔１０ａの数は３個に限定されるものではなく、さらに多くの透孔１０ａを穿設するようにしてもよい。この場合の透孔１０ａの位置については、板状部材１０の全面に渡って分散させて穿設すれば、種々の形状の流木Ｔに対して容易に対応することができる。
【００３５】
以上の実施形態では、板状部材１０の形状が長方形状であるものとして説明したが、これに限定されるものではなく、任意の形状を採用することができる。例えば、円形、楕円形、三角形、四角形、その他の多角形等を採用することも可能である。
【００３６】
また、板状部材１０や管状部材１１の材質としては、上述の塩化の外に、例えば、ポリプロピレン，ポリウレタン，ポリエステル，ポリスチレン，ポリレジン，鉄，銀，銅，金，鉛，白金，ステンレス，ガラス，アクリル，木材，合板，石，石膏，陶器，革，紙，布，コンクリート，磁石，ビニル素材，シリコン素材，アルミニウム素材，プラスチック素材，ゲル状のものなどを使用することが可能である。
＜実施形態２＞
【００３７】
上述の実施形態では、保持部材として、管状部材１１（スペーサ）及びねじ部材１２（固定部材）を使用した。本実施形態では、これに代えて、保持部材として、他のものを使用した。
【００３８】
例えば、板状部材１０の上面１０ｂ上に複数のブロック状のスペーサ（不図示）を配置し、これらに流木Ｔを載せ、これら複数のスペーサで囲まれた領域のほぼ中央近傍を、板状部材１０を下方から貫通させたねじ部材１２によって流木Ｔを固定するようにしてもよい。この場合には、複数のブロック状のスペーサとねじ部材１２とによって保持部材を構成することになる。
【００３９】
また、保持部材として、紐状部材、針金状部材、ゴム状部材等（いずれも不図示）を使用することも可能である。すなわち、板状部材１０と流木Ｔとを、これら紐状部材又は針金状部材又はゴム状部材によって連結し、板状部材１０と流木Ｔとの間に間隙を設けるようにした。本実施形態においても、上述の実施形態１とほぼ同等の効果を奏することができる。
【図面の簡単な説明】
【００４０】
【図１】本考案に係る浸水具の分解斜視図である。
【図２】浸水具の縦断面図である。
【図３】板状部材の一例を示す正面図である。
【図４】管状部材の一例を示す斜視図である。
【符号の説明】
【００４１】
１          浸水具
１０        板状部材
１０ａ      透孔
１０ｂ      板状部材の上面
１１        管状部材（スペーサ，保持部材）
１２        ねじ部材（固定部材，保持部材）
Ｂ          水槽の底部
Ｇ          間隙（ギャップ）
Ｓ          底砂
Ｔ          流木（水中装飾具）
【図１】
0003128222.tif 000003
【図２】
0003128222.tif 000004
【図３】
0003128222.tif 000005
【図４】
0003128222.tif 000006